(57)【要約】【解決手段】光切り替えのための、コンピュータ記憶媒体にエンコードされたコンピュータプログラムを含む、方法、システム、および装置。光スイッチのうちの１つは、１つ以上の入力ファイバおよび複数の出力ファイバを含む、アレイ内に位置付けられた複数の光ファイバと、入力ファイバからの光を複数の出力ファイバのうちの特定の目標の出力ファイバに制御可能に反射するように構成された微小電気機械（ＭＥＭＳ）ミラーと、を含み、ＭＥＭＳミラーの位置は、複数のファイバのうちのいずれの他のファイバも横断しない切り替え軌道に従って、複数の出力ファイバのうちの第１の目標の出力ファイバから第２の目標の出力ファイバに切り替えるように制御可能である。【選択図】図１
2016523384.tif 000002
【特許請求の範囲】
【請求項１】
光スイッチであって、
１つ以上の入力ファイバおよび複数の出力ファイバを含む、アレイ内に位置付けられた複数の光ファイバと、
入力ファイバからの光を前記複数の出力ファイバのうちの特定の目標の出力ファイバに制御可能に反射するように構成された微小電気機械（ＭＥＭＳ）ミラーと、を備え、
該ＭＥＭＳミラーの位置が、前記複数のファイバのうちのいずれの他のファイバも横断しない切り替え軌道に従って、前記複数の出力ファイバのうちの第１の目標の出力ファイバから第２の目標の出力ファイバに切り替えるように制御可能である、光スイッチ。
【請求項２】
前記切り替え軌道が、前記複数のファイバのファイバ間の隙間空間を横断する、請求項１に記載の光スイッチ。
【請求項３】
前記切り替え軌道が複数の個別のパスセグメントを備える、請求項２に記載の光スイッチ。
【請求項４】
前記パスセグメントが、前記切り替え軌道において連続して横断され、前記アレイ内の対応する終点位置によって各々画定される、請求項２に記載の光スイッチ。
【請求項５】
前記終点位置のうちの１つ以上が出力ファイバ間にある、請求項４に記載の光スイッチ。
【請求項６】
前記複数の光ファイバがフェルール内に位置付けられる、請求項１に記載の光スイッチ。
【請求項７】
前記複数の光ファイバと前記ＭＥＭＳミラーとの間に位置付けられたレンズをさらに備える、請求項１に記載の光スイッチ。
【請求項８】
前記ＭＥＭＳミラーを制御するための制御回路をさらに備える、請求項１に記載の光スイッチ。
【請求項９】
前記制御回路が、前記複数の出力ファイバのうちのいずれか２つの出力ファイバ間の切り替えのための複数の切り替え軌道を記憶する、請求項８に記載の光スイッチ。
【請求項１０】
前記複数のファイバが、入力ファイバと出力ファイバとの間に指定された距離を提供するように配列される、請求項１に記載の光スイッチ。
【請求項１１】
前記複数のファイバが、入力ファイバと出力ファイバとの間の前記指定された距離を作成するように位置付けられた複数の未使用のファイバを含むガラスフェルール内に配列される、請求項１０に記載の光スイッチ。
【請求項１２】
前記複数のファイバが、前記指定された距離で分離された２つの別個の孔を有するガラスフェルール内に配列される、請求項１０に記載の光スイッチ。
【請求項１３】
前記ＭＥＭＳミラーが、印加電圧に従って、該ＭＥＭＳミラーをｘおよびｙ軸に沿って独立して調整するように構成されたアクチュエータを含む、請求項１に記載の光スイッチ。
【請求項１４】
前記制御回路が、前記ＭＥＭＳミラーの位置を変化させるように、該ＭＥＭＳミラーに１つ以上のｘ、ｙ電圧対を提供する、請求項１３に記載の光スイッチ。
【請求項１５】
第１の入力ファイバから受信された光信号を第１の出力ファイバで出力するように方向付けるように微小電気機械（ＭＥＭＳ）ミラーを位置付けることと、
第２の出力ファイバで出力するように前記光信号を切り替える入力を受信することと、
別の出力ファイバを通過せずに前記第１の出力ファイバからの光を前記第２の出力ファイバに方向付けるように前記ＭＥＭＳミラーを動かすための切り替え軌道を決定することと、
該決定された切り替え軌道に従って前記ＭＥＭＳミラーを動かすことと、を含む、方法。
【請求項１６】
前記切り替え軌道を決定することが、前記第１および第２の出力ファイバに対応する所定の切り替え軌道を検索することを含む、請求項１５に記載の方法。
【請求項１７】
前記切り替え軌道が複数の連続したパスセグメントを含み、前記所定の切り替え軌道に従って前記ＭＥＭＳミラーを動かすことが、各パスセグメント終点に対応して前記ＭＥＭＳミラーにｘ、ｙ電圧対を連続して印加することを含む、請求項１６に記載の方法。
【請求項１８】
前記切り替え軌道を決定することが、前記第１の出力ファイバから前記第２の出力ファイバへのヒットレス切り替え軌道を生成するように、いくつかの点に沿って複数のパスセグメントを計算することを含む、請求項１５に記載の方法。
【請求項１９】
それぞれ前記第１および第２の出力ファイバに対応する、前記ＭＥＭＳミラーに印加されるｘ、ｙ電圧を決定することを含む、前記ＭＥＭＳミラーを較正することをさらに含む、請求項１５に記載の方法。
【発明の詳細な説明】
【技術分野】
【０００１】
本明細書は、光通信に関する。
【背景技術】
【０００２】
光スイッチは、１つ以上の入力光ファイバの光信号を複数の出力光ファイバのうちの１つに選択的に切り替えさせるか、または複数の入力ファイバから共通の出力ファイバに相互に切り替えさせるスイッチである。従来の光スイッチは、機械的、電気光学的、または磁気光学的な切り替えを含む様々な構造を使用した切り替えを実装することができる。
【発明の概要】
【課題を解決するための手段】
【０００３】
概して、本明細書に記載される主題の革新的な一態様は、１つ以上の入力ファイバおよび複数の出力ファイバを含む、アレイ内に位置付けられた複数の光ファイバと、入力ファイバからの光を複数の出力ファイバのうちの特定の目標の出力ファイバに制御可能に反射するように構成された、微小電気機械（ＭＥＭＳ）ミラーと、を含み、ＭＥＭＳミラーの位置が、複数のファイバのうちのいずれの他のファイバも横断しない切り替え軌道に従って、複数の出力ファイバのうちの第１の目標の出力ファイバから第２の目標の出力ファイバに切り替えるように制御可能である光スイッチにおいて具体化され得る。
【０００４】
前述および他の実施形態は各々、任意で以下の特徴のうちの１つ以上を単独でまたは組み合わせで含んでもよい。切り替え軌道は、複数のファイバのファイバ間の隙間空間を横断する。切り替え軌道は、複数の個別のパスセグメントを備える。パスセグメントは、切り替え軌道において連続して横断され、アレイ内の対応する終点位置によって各々画定される。終点位置のうちの１つ以上は、出力ファイバ間にある。複数の光ファイバは、フェルール内に位置付けられる。光スイッチは、複数の光ファイバとＭＥＭＳミラーとの間に位置付けられたレンズをさらに含む。光スイッチは、ＭＥＭＳミラーを制御するための制御回路をさらに含む。制御回路は、複数の出力ファイバのうちのいずれか２つの出力ファイバ間の切り替えのための複数の切り替え軌道を記憶する。複数のファイバは、入力ファイバと出力ファイバとの間に指定された距離を提供するように配列される。複数のファイバは、入力ファイバと出力ファイバとの間に指定された距離を作成するように位置付けられた複数の未使用のファイバを含むガラスフェルール内に配列される。複数のファイバは、指定された距離で分離された２つの別個の孔を有するガラスフェルール内に配列される。ＭＥＭＳミラーは、印加電圧に従って、ＭＥＭＳミラーをｘおよびｙ軸に沿って独立して調整するように構成されたアクチュエータを含む。制御回路は、ＭＥＭＳミラー位置を変化させるように、１つ以上のｘ、ｙ電圧対をＭＥＭＳミラーに提供する。
【０００５】
概して、本明細書に記載される主題の革新的な一態様は、第１の入力ファイバから受信した光信号を第１の出力ファイバで出力するように方向付けるように微小電気機械（ＭＥＭＳ）ミラーを位置付ける行為と、第２の出力ファイバで出力するように光信号を切り替える入力を受信する行為と、別の出力ファイバを通過せずに第１の出力ファイバからの光を第２の出力ファイバに方向付けるようにＭＥＭＳミラーを動かすための切り替え軌道を決定する行為と、決定された切り替え軌道に従ってＭＥＭＳミラーを動かす行為と、を含む方法において具体化され得る。
【０００６】
前述および他の実施形態は各々、任意で以下の特徴のうちの１つ以上を単独でまたは組み合わせて含んでもよい。切り替え軌道を決定することは、第１および第２の出力ファイバに対応する所定の切り替え軌道を検索することを含む。切り替え軌道は、複数の連続したパスセグメントを含み、所定の切り替え軌道に従ってＭＥＭＳミラーを動かすことは、各パスセグメント終点に対応してＭＥＭＳミラーにｘ、ｙ電圧対を連続して印加することを含む。切り替え軌道を決定することは、第１の出力ファイバから第２の出力ファイバへのヒットレス切り替え軌道を生成するように、いくつかの点に沿って複数のパスセグメントを計算することを含む。本方法は、それぞれ第１および第２の出力ファイバに対応する、ＭＥＭＳミラーに印加されるｘ、ｙ電圧を決定することを含む、ＭＥＭＳミラーを較正することをさらに含む。
【０００７】
微小電気機械（ＭＥＭＳ）の光切り替え構造が提供される。ＭＥＭＳスイッチは、ファイバのアレイ、集束レンズ、およびＭＥＭＳミラーを含む。いくつかの実現形態では、光ビームは、第１の出力ファイバから第２の出力ファイバに切り替えられ得る。切り替えは、入力光ビームを特定の出力ファイバに方向付けるように、ＭＥＭＳミラーの１つ以上の回転角度を変化させることによって提供される。ＭＥＭＳミラーの回転角度を変化させるときに、アレイの他のファイバ上に入射せずに第１の出力ファイバからの光ビームを第２の出力ファイバに経路付けするいくつかのパスセグメントを使用する切り替え軌道が適用される。
【０００８】
本明細書に記載される主題の特定の実施形態は、以下の利点のうちの１つ以上を実現するために実装され得る。光ビームがある出力ファイバから別の出力ファイバに切り替わる間に横断する切り替え軌道は、光が意図されない光ファイバに衝突することを避け、それにより光通信システムの動作を改良するように構成される。さらに、光ファイバは、信号干渉を避けるために、入力ファイバと出力ファイバとが指定された距離で分離されるように配列される。入力ファイバおよび出力ファイバは、光スイッチの信頼性を強化するために、悪条件下でのファイバの動きを防止する高密度で緊密な長方形のアレイに配列される。レンズは、従来使用されている光学窓を避けるために、スイッチパッケージ内に、例えばＴＯ−Ｃａｎキャップ内に密閉され得る。
【０００９】
本明細書の主題の１つ以上の実施形態の詳細は、添付の図面および下記の発明を実施するための形態において述べられる。主題の他の特徴、態様、および利点は、発明を実施するための形態、図面、および特許請求の範囲から明らかになる。
【図面の簡単な説明】
【００１０】
【図１】ＭＥＭＳ光スイッチの例を示す図である。
【図２】ファイバアレイの例を示す図である。
【図３】切り替え軌道を決定するための制御点を含むファイバアレイの例を示す図である。
【図４】ＭＥＭＳ切り替えシステムの例を示す図である。
【図５】光切り替えの方法の例の流れを示す図である。
【図６】アレイ内のファイバ間の空間距離の例を示す図である。
【図７】１２×１光スイッチ用のフェルールの例を示す図である。
【図８】１２×１光スイッチ用のフェルールの別の例を示す図である。
【図９】別々のファイバ孔を有するフェルールの例を示す図である。
【図１０】スイッチパッケージの例を示す図である。
【００１１】
様々な図面における同様の符号および表記は、同様の要素を示す。
【発明を実施するための形態】
【００１２】
図１は、ＭＥＭＳ光スイッチ１００の例である。ＭＥＭＳ光スイッチ１００は、フェルール１０２内に保持される複数の光ファイバ、レンズ１０４、およびＭＥＭＳミラー１０６を含む。
【００１３】
複数の光ファイバは、Ｎ×Ｍの長方形アレイ内に配列されるファイバピグテイルであり得る。ファイバピグテイルは、２つの群に分割され得る。ファイバピグテイルの第１の群が入力ファイバとして使用される一方で、ファイバピグテイルの第２の群は出力ファイバに対応する。いくつかの実現形態では、複数の光ファイバのうちの１つ以上は、未使用のファイバであり得る。
【００１４】
レンズ１０４は、入力ファイバから受信された光信号をコリメートし、ＭＥＭＳミラー１０６から反射された光信号をコリメートし、反射された光信号を特定の出力ファイバに方向付ける。入力ファイバからの光は、１×Ｌの光スイッチを形成する任意の出力ファイバに選択的に方向付けられ得、ＬはＮ×Ｍアレイにおける出力ファイバの数である。同様に、同じ構造を使用して、複数の入力ファイバからの光が出力ファイバに経路付けされる、Ｌ×１ＭＥＭＳ光スイッチを形成することができる。
【００１５】
ＭＥＭＳミラー１０６は、制御信号（例えば、下記により詳細に記載される特定の印加電圧）に応答して、具体的な位置に回転し得る。例えば、ＭＥＭＳミラー１０６は、指定された角度範囲で、独立してｘおよびｙ軸に沿うミラー表面の回転を駆動するために使用されるアクチュエータを含む。ミラー表面に入射する入力光ビームは、ＭＥＭＳミラー１０６のｘおよびｙ角度位置に応じてそれが特定の出力ファイバに集束される、レンズ１０４を通して反射される。
【００１６】
図２は、ファイバアレイ２００の例である。ファイバアレイ２００は、４×４の長方形配列である。ファイバは、フェルール内に位置付けられるピグテイルであり得る。各ファイバは、１〜１６に番号付けされる。概して、ファイバのうちの１つ以上が入力ファイバであり得る一方で、他のファイバは出力ファイバである。例えば、ファイバ１〜１２は、選択可能な出力ファイバであり得る。さらに、いくつかの実現形態では、ファイバアレイ２００内に１つ以上の未使用ファイバがあり得る。
【００１７】
この例では、ファイバは、入力ファイバ２０２および第１の出力ファイバ２０４を含む。よって、ファイバ２０２からの入力光ビームがＭＥＭＳミラー表面（図１）によって反射され、第１の出力ファイバ２０４に方向付けられる。さらに、ファイバアレイの例２００は、第２の出力ファイバ２０６を示す。コマンドに応答して、入力ファイバ２０２からの入力光ビームは、第１の出力ファイバ２０４から第２の出力ファイバ２０６に切り替えられ得る。切り替えを実施するために、ＭＥＭＳミラーのｘおよびｙ角度位置は、入力光ビームが第１の出力ファイバ２０４の位置ではなく第２の出力ファイバ２０６の位置に集束されるように、修正される。
【００１８】
いくつかの実現形態では、切り替えは、光ビームを目標の出力ファイバに移すのに必要なミラー表面への角度動作の最短量を使用し、ＭＥＭＳミラーのｘおよびｙ角度位置を直接的に変化させることによって実施される。例えば、反射された光ビームは、ＭＥＭＳミラーが調整されると、第１の出力ファイバ２０４から第２の出力ファイバ２０６への直線を横断し得る。しかしながら、かかる実現形態は、多くの場合意図されない光ファイバの「ヒット」を生じさせる。ヒットは、光ビームの少なくとも一部が、直接的にまたは屈折により、目標の出力ファイバではない光ファイバに漏出することを指す。例えば、ファイバアレイ２００を参照すると、第１の出力ファイバ２０４から第２の出力ファイバ２０６への１つの切り替え軌道が、破線２０８によって示される。しかしながら、この切り替え軌道は、光ビームが第１の出力ファイバ２０４に方向付けられることから、第２の出力ファイバ２０６に方向付けられることへ横断するときに、光ビームに出力ファイバ２１０を通過させる。意図されない光ファイバへの光ビームのこの漏出により、ファイバ２１０は「ヒット」と称される。
【００１９】
いくつかの他の実現形態では、第１の出力ポート２０４から第２の出力ポート２０６へのパスは、意図されない光ファイバへの光の漏出を避けるように制御される。光ビームの切り替え軌道は、任意の２つのファイバ間の隙間空間（クリアランス・スペース）および／または任意のファイバの範囲の完全に外側を通過し、それ故に任意の意図されないポートへのヒットを避けるように制御される。具体的には、パス２１２によって示されるように、ＭＥＭＳミラーのｘおよびｙ角度回転位置は、第１の出力ファイバ２０４から第２の出力ファイバ２０６への切り替え軌道に沿う他の光ファイバを避ける、いくつかの個別のパスセグメントを有する切り替え軌道に従うように制御される。
【００２０】
図３は、切り替え軌道を決定するための制御点を含む、ファイバアレイ３００の例である。ファイバアレイ３００は、例えば図２のファイバピグテイル配列に類似する、４×４の長方形配列を含む。各ファイバは１〜１６に番号付けされる。一般に、ファイバのうちの１つ以上が入力ファイバであり得る一方で、他のファイバは出力ファイバである。さらに、いくつかの実現形態では、ファイバアレイ内に１つ以上の未使用ファイバがあり得る。
【００２１】
ファイバアレイ３００において、１×１２のスイッチの軌道選択が示される。入力ファイバ３０２がファイバ番号１４に位置する一方で、ファイバ１〜１２は出力ファイバ３０４である。ファイバ１３、１５、および１６は、未使用ファイバまたは代替の入力ファイバであり得る。
【００２２】
ＭＥＭＳスイッチは、ＭＥＭＳミラーに印加される特定の電圧値、例えばｘ、ｙ電圧対が、ＭＥＭＳミラーを、反射された入力光ビームを出力ファイバ３０４のうちの対応する出力ファイバに方向付ける座標に位置付けさせることができるように較正され得る。よって、１２の出力ファイバ３０４には、１２の対応する電圧対がある。各出力ファイバ位置のためのｘ、ｙ電圧対は、ＭＥＭＳスイッチについて予め較正され得、出力ファイバ間の切り替えにおける使用のために記憶され得る。異なるファイバ入力が使用される場合、追加の較正がｘ、ｙ電圧対になされ得る。
【００２３】
対応する出力ファイバ３０４のための１２の電圧対に加えて、出力ファイバ３０４に対する他の点に対応するように、４つの追加の電圧対が較正され得る。具体的には、ファイバアレイ３００は、出力ファイバの４つの群の間の中心にある４つの点である、ファイバ１、２、７、および８の間の中心点３０６と、ファイバ３、４、５、および６の間の中心点３０８と、ファイバ７、８、９、および１０の間の中心点３１０と、ファイバ５、６、１１、および１２の間の中心点３１２とを示す。点３０６、３０８、３１０、および３１２の位置もまた、予め較正され得、記憶され得る。
【００２４】
これらの４つの点３０６、３０８、３１０、および３１２を使用して、ヒットレス切り替え軌道が、１２の出力ファイバ３０４のうちのいずれか２つの間の切り替えのために決定され得る。例えば、ファイバ１からファイバ６への切り替えは、個別のパスセグメントである、ファイバ１から点３０６へのパスセグメント、点３０６から点３０８へのパスセグメント、および点３０８からファイバ６へのパスセグメントを有する、切り替え軌道に従い得る。切り替え軌道における各パスセグメントは、ファイバ間の隙間空間を使用し得る。切り替え軌道は、切り替え軌道上の各パスセグメント終点に対応する一連の電圧対によって画定され得る。いくつかの実現形態では、所与のファイバアレイについての各可能な切り替え軌道は、例えばＭＥＭＳスイッチのための制御回路との関連で、予め決定され得、記憶され得る。出力ファイバ間で切り替えるとき、適切な切り替え軌道は、ＭＥＭＳミラーへの一連の電圧コマンドとして特定および実行され得る。
【００２５】
図４は、ＭＥＭＳ切り替えシステム４００の例である。ＭＥＭＳ切り替えシステム４００は、入力および出力ファイバ４０２、ＭＥＭＳ光スイッチ４０４、ならびに制御回路４０６を含む。ＭＥＭＳ光スイッチ４０４は、図１〜３に関して上記されるように実装され得る。入力および出力ファイバ４０２は、ＭＥＭＳ光スイッチ４０４のファイバピグテイルのために、それぞれ入力および出力パスを提供する。制御回路４０６は、ＭＥＭＳ光スイッチ４０４におけるファイバアレイの点についての、電圧較正データおよび切り替え軌道データを含み得る。出力ファイバ間に位置付けられた中間点を含む、較正および切り替え軌道データ。よって、制御回路４０６は、出力ポート間を正確に切り替えるために、ＭＥＭＳミラーに適切な切り替え信号を提供することができる。
【００２６】
図５は、光切り替えのための方法５００の例の流れを示す図である。光切り替えは、例えば上記図１〜４に記載されるように、ＭＥＭＳ光切り替えシステムによって実施され得る。
【００２７】
ＭＥＭＳミラーは、入力光ビームを第１の出力ファイバに方向付けるように位置付けられる（５０５）。特定の電圧が、入力ビームの反射を第１の出力ファイバの位置に方向付けるように、ＭＥＭＳミラーのｘおよびｙ軸をそれぞれ制御するために印加され得る。
【００２８】
入力光ビームを第２の出力ファイバに切り替える入力が受信される（５１０）。入力は、例えば光通信ネットワークのためのコンピュータシステムから受信され得る。
【００２９】
第１の出力ファイバから第２の出力ファイバへのヒットレス切り替え軌道が決定される（５１５）。いくつかの実現形態では、ヒットレス切り替え軌道は、較正された点を使用して予め決定されている。あるいは、いくつかの他の実現形態では、ヒットレス切り替え軌道は、記憶された較正データに基づいて切り替え時に計算される。例えば、出力ファイバならびに出力ファイバ間の１つ以上の中間点の位置を指定する較正データを使用して、出力ファイバ間の切り替え軌道のためのパスセグメントが決定され得る。パスセグメントは、どのパスセグメントも光ファイバを交差しないように、ファイバ間の隙間空間を追従する。１対の出力ファイバの間のパスセグメントの集合は、切り替え軌道を形成する。具体的なファイバの間の所定の切り替え軌道は、出力ファイバを切り替える入力の際の回復のために記憶され得る。
【００３０】
ＭＥＭＳミラーは、光ビームが第２の出力ファイバに方向付けられるまで、切り替え軌道のパスセグメントに従って連続して動かされる（５２０）。いくつかの実現形態では、制御回路は、各パスセグメント終点と関連付けられた、特定のＭＥＭＳミラー位置に対応する一連の電圧対を送信する。
【００３１】
図６は、ファイバアレイ６００におけるファイバ間の空間距離の例の図示である。入力ファイバと出力ファイバとの間の分離距離が規制されない場合、信号干渉が発生し得る。例えば、スイッチがＬ×１スイッチである場合、ファイバアレイ内にはＬの入力ファイバがある。Ｌの入力ファイバの各々は、光信号を放出したことがあり得る。いくつかのスイッチ状態では、１つ以上の入力ファイバが反射された光を受信することが可能である。これは、入力ファイバからの光信号を別の入力ファイバに逆に伝送させ、信号干渉を生じさせる。
【００３２】
潜在的な信号干渉を避けるために、入力ファイバと出力ファイバとの間の距離は、かかる干渉を実質的に減少または排除するように指定され得る。アレイ６００は、ＣＯＭファイバ６０２および１２の入力ファイバ６０４を含む。具体的には、ＣＯＭファイバと最も近くの入力ファイバとの間の距離を、２つの最も外側の入力ファイバ間の距離よりも大きくなるように確立することによって、信号干渉を避けることができる。よって、アレイ６００において示されるように、距離「Ａ」は、例えばファイバ中心からファイバ中心への、ＣＯＭファイバ６０２と最も近い入力ファイバ６０６との間の距離に対応する。距離「Ｂ」は、例えばファイバ中心からファイバ中心への、最も外側の入力ファイバ６０８間の距離に対応する。ＡがＢよりも大きい場合、信号干渉を避けることができる。いくつかの実現形態では、Ａ＞Ｂ＋２０ｍの場合、干渉を避けることがさらに改良される。
【００３３】
特定の距離は、フェルール構造を使用して確立され得る。図７は、１２×１の光スイッチの実装における使用のための、４×６のガラスフェルール７００の例を図示する。図７に示されるように、第１の点線７０２の内側の１２のファイバが入力ポートとして選択的に使用される一方で、第２の点線７０４の内側の４つのファイバのうちのいずれか１つが選択的にＣＯＭポートであり得る。第１の点線７０２の内側のファイバは、例えば未使用のファイバによって、第２の点線７０４内のファイバから分離される。配列は、第２の点線７０４のファイバから第１の点線７０２内のファイバの第１の行への距離が、第１の点線７０２内の最も外側の入力ファイバ間の距離よりも大きくなるように、構造化される。
【００３４】
図８は、１２×１の光スイッチの実装における使用のための、４×６のガラスフェルール８００の例を図示する。図８に示されるように、第１の点線８０２の内側の１２のファイバが入力ポートとして選択的に使用される一方で、第２の点線８０４の内側の４つのファイバのうちのいずれか１つが選択的にＣＯＭポートであり得る。第１の点線８０２の内側のファイバは、例えば未使用のファイバによって、第２の点線８０４内のファイバから分離される。配列は、第２の点線８０４のファイバから第１の点線８０２内のファイバの第１の行への距離が、第１の点線８０２内の最も外側の入力ファイバ間の距離よりも大きくなるように、構造化される。
【００３５】
図９は、別々のファイバ孔を有するフェルール９００の別の例である。フェルール９００は、２つの別々の孔を含む。第１の孔９０２はＣＯＭファイバのために使用され、第２の孔９０４は入力ファイバのために使用される。例えば、図７のフェルールと同様に、第２の孔９０４は、入力ポートとして選択的に使用される１２の入力ファイバを含み得、第２の孔９０２は、ＣＯＭポートとして選択的に使用され得る４つのファイバを含み得る。２つの孔間の距離が十分に大きい、例えばＡ＞Ｂの上記条件を満たす場合、フェルール９００は、１２×１ＭＥＭＳスイッチにおいて、入力ファイバポート交差干渉の問題なく使用され得る。
【００３６】
図１０はスイッチパッケージ１０００の例である。スイッチパッケージ１０００は、ファイバ束１００２と、ガラスフェルール１００６を含むファイバピグテイルと、光学レンズ１００８と、ＭＥＭＳミラー１０１０と、を含む。スイッチパッケージ１０００は、光通信システムにおいて光ファイバ束に結合され得る。
【００３７】
本明細書が多くの具体的な実装の詳細を含むが、これらは、任意の発明または特許請求の範囲の限定として解釈されるべきでなく、特定の発明の特定の実施形態に特異的であり得る特徴の説明として解釈されるべきである。別々の実施形態の文脈で本明細書に記載される特定の特徴は、単一の実施形態において組み合わせでも実装されてもよい。反対に、単一の実施形態の文脈で記載される様々な特徴は、別々にまたは任意の好適な部分的組み合わせで、複数の実施形態においても実装されてもよい。さらに、特徴は、特定の組み合わせで作用すると上述され得、さらにはそのように最初に特許請求され得るが、特許請求される組み合わせからの１つ以上の特徴は、いくつかの場合では組み合わせから削除されてもよく、特許請求される組み合わせは部分的組み合わせまたは部分的組み合わせの変形に向けられてもよい。
【００３８】
同様に、動作が図面において特定の順序で描写されるが、これは、所望の結果を達成するために、かかる動作が示される特定の順序でもしくは連続した順序で実施されること、または図示された全ての動作が実施されることを必要とすると理解されるべきではない。特定の状況では、多重タスク処理および並行処理が有利であり得る。さらに、上述される実施形態における様々なシステムモジュールおよび構成要素の分離は、全ての実施形態においてかかる分離を必要とすると理解されるべきでなく、記載されるプログラム構成要素およびシステムは、概して、単一のソフトウェア製品に一緒に統合され得るか、または複数のソフトウェア製品にパッケージ化され得ることが理解されるべきである。
【００３９】
主題の特定の実施形態が説明されてきた。他の実施形態は、以下の特許請求の範囲内である。例えば、特許請求の範囲において列挙される行為は、異なる順序で実施されてもよく、それでもなお所望の結果を達成し得る。一例として、添付の図面において描写されるプロセスは、所望の結果を達成するために、示される特定の順序または連続した順序を必ずしも必要としない。特定の実現形態では、多重タスク処理および並行処理が有利であり得る。
【図１】
2016523384.tif 000003
【図２】
2016523384.tif 000004
【図３】
2016523384.tif 000005
【図４】
2016523384.tif 000006
【図５】
2016523384.tif 000007
【図６】
2016523384.tif 000008
【図７】
2016523384.tif 000009
【図８】
2016523384.tif 000010
【図９】
2016523384.tif 000011
【図１０】
2016523384.tif 000012
【国際調査報告】
2016523384.tif 000013
2016523384.tif 000014